(57)【要約】  画像を表示する表示装置に、観察対象からの光を受光する撮像装置が生成する撮像信号から生成される医療用撮像画像を表示させる表示制御部と、前記表示制御部に所定の明るさの前記医療用撮像画像を表示させるように前記撮像信号の明るさを制御する明るさ制御部と、を備え、前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う、医療用制御装置。
2020039716.tif 000002
【特許請求の範囲】
【請求項１】
画像を表示する表示装置に、観察対象からの光を受光する撮像装置が生成する撮像信号から生成される医療用撮像画像を表示させる表示制御部と、
前記表示制御部に所定の明るさの前記医療用撮像画像を表示させるように前記撮像信号の明るさを制御する明るさ制御部と、
を備え、
前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う
医療用制御装置。
【請求項２】
前記明るさ制御部は、前記表示装置のダイナミックレンジを特定し、特定された前記表示装置のダイナミックレンジに対応する前記撮像信号の明るさの目標値を決定する、請求項１に記載の医療用制御装置。
【請求項３】
さらに、前記明るさ制御部は、前記ダイナミックレンジが前記第１の値である第１の表示装置に前記医療用撮像画像を表示する場合は、前記撮像信号の明るさを、前記医療用撮像画像を前記所定の明るさで表示するための第１の明るさにする制御を行い、さらに前記ダイナミックレンジが前記第２の値である第２の表示装置に前記医療用撮像画像を表示する場合は、前記撮像信号の明るさを前記第１の明るさよりも暗い第２の明るさにする制御を行う
請求項１に記載の医療用制御装置。
【請求項４】
前記明るさ制御部は、前記表示装置のダイナミックレンジを示すダイナミックレンジ情報に基づき、前記表示装置のダイナミックレンジを特定する、請求項２に記載の医療用制御装置。
【請求項５】
前記ダイナミックレンジ情報は、前記表示装置から取得される、請求項４に記載の医療用制御装置。
【請求項６】
前記ダイナミックレンジ情報は、前記表示装置から取得される識別情報に基づき取得される、請求項４に記載の医療用制御装置。
【請求項７】
前記明るさ制御部は、前記表示装置のダイナミックレンジと、所定のダイナミックレンジとを比較し、比較の結果に基づき前記目標値を決定する、請求項２に記載の医療用制御装置。
【請求項８】
前記明るさ制御部は、前記表示装置のダイナミックレンジの最大値と、前記所定のダイナミックレンジの最大値との差分に基づき、前記目標値を決定する、請求項７に記載の医療用制御装置。
【請求項９】
前記明るさ制御部は、前記表示装置のダイナミックレンジの最大値が、前記所定のダイナミックレンジの最大値のｎ倍（ｎは実数）である場合、前記表示装置における前記目標値を、前記所定のダイナミックレンジに対応する目標値の１／ｎ倍とする、請求項８に記載の医療用制御装置。
【請求項１０】
複数の前記表示装置が存在する場合、
前記明るさ制御部は、前記撮像信号が複数の前記表示装置の中から選択される前記表示装置のダイナミックレンジに対応する明るさとなるように、前記撮像装置における撮像を制御する、請求項１に記載の医療用制御装置。
【請求項１１】
複数の前記表示装置の中から選択される前記表示装置は、所定のユーザに対応付けられている前記表示装置である、請求項１０に記載の医療用制御装置。
【請求項１２】
複数の前記表示装置の中から選択される前記表示装置は、複数の前記表示装置の中で前記表示装置のダイナミックレンジが高い前記表示装置である、請求項１０に記載の医療用制御装置。
【請求項１３】
前記表示制御部は、前記撮像信号に対して前記表示装置が有するガンマ値に基づきガンマ補正を行い、前記ガンマ補正が行われた前記撮像信号から生成される前記医療用撮像画像を前記表示装置に表示させる、請求項１に記載の医療用制御装置。
【請求項１４】
前記表示制御部は、前記表示装置と所定のガンマ値を有する表示装置とに表示される前記医療用撮像画像の中間の輝度値が同一となるように、前記撮像信号に対して前記ガンマ補正を行う、請求項１３に記載の医療用制御装置。
【請求項１５】
複数の前記表示装置が存在する場合、
前記表示制御部は、複数の前記表示装置の各々が有する前記ガンマ値に基づき前記ガンマ補正が行われた前記撮像信号から生成される前記医療用撮像画像を、複数の前記表示装置の各々に表示させる、請求項１３に記載の医療用制御装置。
【請求項１６】
前記明るさ制御部は、さらに、前記表示装置の表示モードに基づき、前記目標値を決定する、請求項２に記載の医療用制御装置。
【請求項１７】
前記明るさ制御部は、さらに、前記撮像装置の種類に基づき、前記目標値を決定する、請求項２に記載の医療用制御装置。
【請求項１８】
前記表示制御部は、前記医療用撮像画像が前記表示装置に表示される際の前記医療用撮像画像の輝度に応じて、前記表示装置に表示される文字の輝度を調整する、請求項１に記載の医療用制御装置。
【請求項１９】
前記明るさ制御部は、前記観察対象に照射される光の光量、または、前記撮像装置に入射する光の光量を制御することで前記撮像信号の明るさを制御する
請求項１に記載の医療用制御装置。
【請求項２０】
光を発光する光源と、
観察対象を撮像する撮像装置と、
画像を表示する表示装置に、観察対象からの光を受光する撮像装置が生成する撮像信号から生成される医療用撮像画像を表示させる表示制御部と、
前記表示制御部に所定の明るさの前記医療用撮像画像を表示させるように前記撮像信号の明るさを制御する明るさ制御部と、
を備え、
前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う
医療用観察装置。
【発明の詳細な説明】
【技術分野】
【０００１】
本開示は、医療用制御装置及び医療用観察装置に関する。
【背景技術】
【０００２】
医療現場において、撮像装置は、患者の体内等の観察対象を撮像する際に、観察対象以外の鉗子やガーゼ等を被写体に含んで撮像してしまう場合が有り得る。この場合、表示装置に表示される撮像画像の明るさが鉗子やガーゼの明るさに合ってしまい、表示装置に表示される画像の明るさが全体的に明るくなることがある。これにより、表示される画像に白飛びが生じ、術者が観察したい部分の情報や色が欠けてしまうことがある。【０００３】
一般的に、白飛びを低減するために、イメージセンサのダイナミックレンジを拡大することが有効である。例えば、セルサイズが大きく大判のイメージセンサを用いることで、イメージセンサのダイナミックレンジを拡大することができる。これにより、広いダイナミックレンジに対応した画像を撮像することができるため、当該画像が表示装置に表示された際の白飛びを低減することができる。また、白飛びを低減するために、撮像時のシャッタースピードの変更により時間的に異なって撮像された複数枚の明暗画像が合成されるＨＤＲ（Ｈｉｇｈ  Ｄｙｎａｍｉｃ  Ｒａｎｇｅ）撮影を行うことも有効である。これにより、広いダイナミックレンジに対応した画像を生成することができるため、当該画像が表示された際の白飛びを低減することができる。【０００４】
参考までに、下記特許文献１には、広ダイナミックレンジ画像を狭ダイナミックレンジ画像に変換する際に、ユーザの操作に基づき画像中の任意の位置の輝度を最適化する技術が開示されている。
【先行技術文献】
【特許文献】
【０００５】
【特許文献１】特開２００２−１３５５８９号公報
【発明の概要】
【発明が解決しようとする課題】
【０００６】
しかしながら、内視鏡システムでは、カメラヘッドの小型化が求められるため、大判のイメージセンサを用いることが難しい。また、長蓄積露光画像と短蓄積露光画像の２枚を合成してＨＤＲ画像を生成する撮影方法は、被写体又は撮像装置が動くことにより画像にブレが生じてしまうため、撮像装置を移動させながら体内の様子を観察する内視鏡システムにこのような撮影方法を用いることは望ましくない。そこで、内視鏡システムでは、大判のイメージセンサを用いず、かつ上記撮影方法を用いずに白飛びを低減することが求められていた。【０００７】
そこで、本開示では、医療用撮像画像の白飛びを低減することが可能な、新規かつ改良された医療用制御装置及び医療用観察装置を提案する。
【課題を解決するための手段】
【０００８】
本開示によれば、画像を表示する表示装置に、観察対象からの光を受光する撮像装置が生成する撮像信号から生成される医療用撮像画像を表示させる表示制御部と、前記表示制御部に所定の明るさの前記医療用撮像画像を表示させるように前記撮像信号の明るさを制御する明るさ制御部と、を備え、前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う、医療用制御装置が提供される。【０００９】
また、本開示によれば、光を発光する光源と、観察対象を撮像する撮像装置と、画像を表示する表示装置に、観察対象からの光を受光する撮像装置が生成する撮像信号から生成される医療用撮像画像を表示させる表示制御部と、前記表示制御部に所定の明るさの前記医療用撮像画像を表示させるように前記撮像信号の明るさを制御する明るさ制御部と、を備え、前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う、医療用観察装置が提供される。
【発明の効果】
【００１０】
以上説明したように本開示によれば、医療用撮像画像の白飛びを低減することが可能である。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係る概要を示す説明図である。
【図２】第１の実施形態に係る医療用観察システムの構成例を示す説明図である。
【図３】同実施形態に係る医療用観察装置の機能構成例を示すブロック図である。
【図４】同実施形態に係る医療用観察装置における入出力関係の例を示す説明図である。
【図５】同実施形態に係る表示装置における入出力関係の例を示す説明図である。
【図６】同実施形態に係る医療用撮像画像の表示例を示す説明図である。
【図７】同実施形態に係る医療用観察システムの動作の流れを示すシーケンス図である。
【図８】同実施形態に係る判定処理における処理の流れを示すフローチャートである。
【図９】同実施形態に係る補正処理における処理の流れを示すフローチャートである。
【図１０】同実施形態に係る表示処理における処理の流れを示すフローチャートである。
【図１１】第２の実施形態に係る医療用観察システムの構成例を示す説明図である。
【図１２】同実施形態に係る複数の表示装置向けのガンマ補正の例を示す説明図である。
【図１３】同実施形態に係る医療用観察システムの動作の流れを示すシーケンス図である。
【図１４】同実施形態に係る補正処理における処理の流れを示すフローチャートである。
【図１５】変形例に係る判定処理を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．概要
２．第１の実施形態
２．１．システム構成例
２．２．機能構成例
２．３．動作例
３．第２の実施形態
３．１．システム構成例
３．２．機能構成例
３．３．動作例
４．変形例
５．まとめ
【００１４】
＜＜１．概要＞＞
以下では、図１を参照しながら、本開示の一実施形態に係る概要について説明する。図１は、本開示の一実施形態に係る概要を示す説明図である。なお、以下では、本開示の一実施形態に係る医療用制御装置が、医療現場で用いられる内視鏡システムに適用された例について説明する。ただし、当該医療用制御装置が適用される対象は内視鏡システムに限定されない。例えば、当該医療用制御装置は、撮像装置を用いて外部から患者等の観察対象を撮像する医療用観察システムに適用されてもよい。
【００１５】
内視鏡システムにおいて、撮像装置は、患者の体内等の観察対象を撮像する際に、観察対象以外の鉗子やガーゼ等を被写体に含んで撮像してしまう場合が有り得る。この場合、表示装置に表示される撮像画像の明るさが鉗子やガーゼの明るさに合ってしまい、表示装置に表示される画像の明るさが全体的に明るくなることがある。これにより、表示される画像に白飛びが生じ、術者が観察したい部分の情報や色が欠けてしまうことがある。
【００１６】
一般的に、白飛びを低減するために、イメージセンサのダイナミックレンジを拡大することが有効である。例えば、セルサイズが大きく大判のイメージセンサを用いることで、イメージセンサのダイナミックレンジを拡大することができる。これにより、広いダイナミックレンジに対応した画像を撮像することができるため、当該画像が表示装置に表示された際の白飛びを低減することができる。また、白飛びを低減するために、撮像時のシャッタースピードの変更により時間的に異なって撮像された複数枚の明暗画像が合成されるＨＤＲ（Ｈｉｇｈ  Ｄｙｎａｍｉｃ  Ｒａｎｇｅ）撮影を行うことも有効である。これにより、広いダイナミックレンジに対応した画像を生成することができるため、当該画像が表示された際の白飛びを低減することができる。
【００１７】
しかしながら、内視鏡システムでは、カメラヘッドの小型化が求められるため、大判のイメージセンサを用いることが難しい。また、長蓄積露光画像と短蓄積露光画像の２枚を合成してＨＤＲ画像を生成する撮影方法は、被写体又は撮像装置が動くことにより画像にブレが生じてしまうため、撮像装置を移動させながら体内の様子を観察する内視鏡システムにこのような撮影方法を用いることは望ましくない。そこで、内視鏡システムでは、大判のイメージセンサを用いず、かつ上記撮影方法を用いずに白飛びを低減することが求められていた。
【００１８】
本開示の実施形態では、上記の点に着目して発想されたものであり、医療用撮像画像の白飛びを低減することが可能な技術を提案する。例えば、観察対象からの光を受光する撮像装置が生成する撮像信号の明るさを制御し、画像を表示する表示装置に撮像信号から生成される医療用撮像画像を表示させる医療用制御装置を提案する。
【００１９】
具体的に、医療用制御装置は、表示装置２０のダイナミックレンジが高い程、撮像信号の明るさがより暗くなるように撮像信号の明るさを制御する。これは、ダイナミックレンジが高い範囲の表示装置ほど、医療用撮像画像の明るさを明るく表示でき、明るさを明るくするほど表示される医療用撮像画像に白飛びが生じる可能性が高いからである。医療用制御装置は、表示装置に表示される医療用撮像画像の明るさに応じて、観察対象を撮像する際の明るさを暗くして撮像することで、表示装置にて医療用撮像画像の明るさを明るくして表示した際に生じる白飛びを低減することができる。
【００２０】
本開示の一実施形態では、ダイナミックレンジが高い範囲を示す表示装置は、ダイナミックレンジがハイダイナミックレンジ（ＨＤＲ：Ｈｉｇｈ  Ｄｙｎａｍｉｃ  Ｒａｎｇｅ）の表示装置である。ここで、ＨＤＲの表示装置とは、表示できる画像の最大輝度が１０００ｎｉｔ以上である表示装置である。一方、ダイナミックレンジが低い範囲を示す表示装置は、ダイナミックレンジがスタンダードダイナミックレンジ（ＳＤＲ：Ｓｔａｎｄａｒｄ  Ｄｙｎａｍｉｃ  Ｒａｎｇｅ）の表示装置である。ここで、ＳＤＲの表示装置とは、表示できる画像の最大輝度が１０００ｎｉｔ未満である表示装置である。なお、ダイナミックレンジに基づく表示装置の種類は、上述のＨＤＲの表示装置とＳＤＲの表示装置に限定されず、他のダイナミックレンジに基づく表示装置であってもよい。以下では、医療用撮像画像が表示される表示装置は、ＨＤＲの表示装置又はＳＤＲの表示装置のいずれか一方である例について説明する。
【００２１】
図１に示す１点鎖線のグラフは、ＳＤＲの表示装置における入出力関係を示しており、２点鎖線のグラフは、ＨＤＲの表示装置における入出力関係を示している。本開示の一実施形態に係る撮像信号は、図１に示すように、ガンマ補正及び逆ガンマ補正が行われた上で、最終的な撮像信号として出力される。
【００２２】
例えば、医療用撮像画像を表示する表示装置がＨＤＲの表示装置である場合、明るさを暗くして観察対象が撮像されるため、図１の撮像時の撮像信号のグラフが示すように、ＨＤＲの表示装置の出力はＳＤＲの表示装置の出力よりも小さい。しかしながら、ＨＤＲの表示装置の場合の撮像信号に対してガンマ補正と逆ガンマ補正が行われることで、図１の補正後の撮像信号のグラフが示すように、ＨＤＲの表示装置はＳＤＲの表示装置の出力よりも大きく出力をすることができる。
【００２３】
以上、図１を参照しながら、本開示の一実施形態に係る概要について説明した。続いて、第１の実施形態について説明する。
【００２４】
＜＜２．第１の実施形態＞＞
以下では、図２〜図１０を参照しながら、第１の実施形態について説明する。
【００２５】
＜２．１．システム構成例＞
以下では、図２を参照しながら、本開示の実施形態に係る医療用観察システムの構成例について説明する。図２は、第１の実施形態に係る医療用観察システム１の構成例を示す説明図である。
【００２６】
図２に示すように、第１の実施形態に係る医療用観察システム１は、例えば、医療用観察装置１０と、表示装置２０とを有する。例えば、図２に示す医療用観察装置１０が手術時に用いられる場合、術者は、医療用観察装置１０により撮像されて、表示装置２０の表示画面に表示された医療用撮像画像を参照しながら術部を観察し、当該術部に対して、術式に応じた手技などの各種処置を行う。また、術者を補助する補助者も同様に、表示装置２０の表示画面に表示された医療用撮像画像を参照しながら術者が行う各種処置の補助を行う。なお、以下では、術者及び補助者等の手術に関わる者は、総称してユーザとも称される。
【００２７】
なお、第１の実施形態に係る医療用観察システム１は、図２に示す例に限られない。例えば、第１の実施形態に係る医療用観察システム１は、医療用観察装置１０における各種動作を制御する医療用制御装置（図示せず）を、さらに有していてもよい。図２に示す医療用観察システム１では、後述するように、医療用観察装置１０が制御部（後述する）を備えることにより、医療用観察装置１０が医療用制御装置（図示せず）の機能を有している例を示している。
【００２８】
医療用制御装置（図示せず）としては、例えば、“メディカルコントローラ”や、“サーバなどのコンピュータ”などが、挙げられる。また、医療用制御装置（図示せず）は、例えば、上記のような機器に組み込むことが可能な、ＩＣ（Ｉｎｔｅｇｒａｔｅｄ  Ｃｉｒｃｕｉｔ）であってもよい。
【００２９】
また、第１の実施形態に係る医療用観察システム１は、医療用観察装置１０と表示装置２０との一方または双方を複数有する構成であってもよい。医療用観察装置１０を複数有する場合、各々の医療用観察装置１０において、後述する表示制御処理が行われる。また、第１の実施形態に係る医療用観察システム１が医療用観察装置１０と表示装置２０とを複数有する構成である場合、医療用観察装置１０と表示装置２０とが一対一に対応付けられていてもよいし、複数の医療用観察装置１０が１つの表示装置２０に対応付けられていてもよい。複数の医療用観察装置１０が１つの表示装置２０に対応付けられている場合、表示装置２０では、例えば切り替え操作などが行われることによって、どの医療用観察装置１０において撮像された医療用撮像画像を表示画面に表示させるのかが、切り替えられる。
【００３０】
以下、図２に示す第１の実施形態に係る医療用観察システム１を構成する各装置について説明する。
【００３１】
（１）医療用観察装置１０
図２に示す医療用観察装置１０は、例えば、挿入部材１３０と、光源ユニット１３２と、ライトガイド１３４と、カメラヘッド１３６と、ケーブル１３８と、制御ユニット１４０とを備える。
【００３２】
また、図２では示していないが、医療用観察装置１０は、例えば、ＭＰＵ（Ｍｉｃｒｏ  Ｐｒｏｃｅｓｓｉｎｇ  Ｕｎｉｔ）などの演算回路で構成される、１または２以上のプロセッサ（図示せず）と、ＲＯＭ（Ｒｅａｄ  Ｏｎｌｙ  Ｍｅｍｏｒｙ。図示せず）と、ＲＡＭ（Ｒａｎｄｏｍ  Ａｃｃｅｓｓ  Ｍｅｍｏｒｙ。図示せず）と、記録媒体（図示せず）と、通信デバイス（図示せず）とを、備えていてもよい。医療用観察装置１０は、例えば、医療用観察装置１０が備えているバッテリなどの内部電源から供給される電力、または、接続されている外部電源から供給される電力などによって、駆動する。
【００３３】
プロセッサ（図示せず）は、医療用観察装置１０における制御部（後述する）として機能する。ＲＯＭ（図示せず）は、プロセッサ（図示せず）が使用するプログラムや演算パラメータなどの制御用データを記憶する。ＲＡＭ（図示せず）は、プロセッサ（図示せず）により実行されるプログラムなどを一時的に記憶する。
【００３４】
記録媒体（図示せず）は、医療用観察装置１０における記憶部（図示せず）として機能する。記録媒体（図示せず）には、例えば、本実施形態に係る表示制御方法に係るデータや、各種アプリケーションなどの、様々なデータが記憶される。ここで、記録媒体（図示せず）としては、例えば、ハードディスクなどの磁気記録媒体や、フラッシュメモリなどの不揮発性メモリなどが挙げられる。また、記録媒体（図示せず）は、医療用観察装置１０から着脱可能であってもよい。
【００３５】
通信デバイス（図示せず）は、医療用観察装置１０が備える通信手段であり、表示装置２０などの外部装置と、無線または有線で通信を行う役目を果たす。ここで、通信デバイス（図示せず）としては、例えば、ＩＥＥＥ８０２．１５．１ポートおよび送受信回路（無線通信）や、ＩＥＥＥ８０２．１１ポートおよび送受信回路（無線通信）、通信アンテナおよびＲＦ回路（無線通信）、あるいはＬＡＮ端子および送受信回路（有線通信）などが挙げられる。
【００３６】
（１−１）挿入部材１３０
挿入部材１３０は、細長形状を有し、入射光を集光する光学系を内部に備える。挿入部材１３０の先端は、例えば、患者の体腔内に挿入される。挿入部材１３０の後端はカメラヘッド１３６の先端と着脱可能に接続される。また、挿入部材１３０は、ライトガイド１３４を介して光源ユニット１３２と接続され、光源ユニット１３２から光が供給される。
【００３７】
挿入部材１３０は、例えば、可撓性を有さない素材で形成されてもよいし、可撓性を有する素材で形成されてもよい。挿入部材１３０を形成する素材によって、医療用観察装置１０は、硬性鏡または軟性鏡と呼ばれうる。
【００３８】
（１−２）光源ユニット１３２
光源ユニット１３２は、ライトガイド１３４を介して挿入部材１３０と接続される。光源ユニット１３２は、ライトガイド１３４を介して挿入部材１３０に光を供給する。
【００３９】
光源ユニット１３２は、例えば、波長が異なる光を発光する複数の光源を有する。光源ユニット１３２が有する複数の光源としては、例えば、赤色の光を発光する光源、緑色の光を発光する光源、および青色の光を発光する光源が挙げられる。赤色の光を発光する光源としては、例えば、１または２以上の赤色発光ダイオードが挙げられる。緑色の光を発光する光源としては、例えば、１または２以上の緑色発光ダイオードが挙げられる。青色の光を発光する光源としては、例えば、１または２以上の青色発光ダイオードが挙げられる。なお、光源ユニット１３２が有する複数の光源が、上記に示す例に限られないことは、言うまでもない。光源ユニット１３２は、例えば、複数の光源を単一チップで有し、または、複数の光源を複数のチップで有する。
【００４０】
光源ユニット１３２は、制御ユニット１４０と有線または無線で接続され、光源ユニット１３２における発光は、制御ユニット１４０により制御される。
【００４１】
挿入部材１３０に供給された光は、挿入部材１３０の先端から出射され、患者の体腔内組織などの観察対象に照射される。そして、観察対象からの反射光は、挿入部材１３０内の光学系によって集光される。
【００４２】
（１−３）カメラヘッド１３６
カメラヘッド１３６は、観察対象を撮像する機能を有する。カメラヘッド１３６は、信号伝送部材であるケーブル１３８を介して制御ユニット１４０と接続される。
【００４３】
カメラヘッド１３６は、イメージセンサを有し、挿入部材１３０によって集光された観察対象からの反射光を光電変換することにより観察対象を撮像し、撮像信号（医療用撮像画像を示す信号）を生成する。そして、カメラヘッド１３６は、生成した撮像信号を制御ユニット１４０へケーブル１３８を介して出力する。カメラヘッド１３６が有するイメージセンサとしては、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）やＣＣＤ（Ｃｈａｒｇｅ  Ｃｏｕｐｌｅｄ  Ｄｅｖｉｃｅ）などの撮像素子を複数用いたイメージセンサが、挙げられる。
【００４４】
内視鏡装置として機能する医療用観察装置１０では、例えば、挿入部材１３０、光源ユニット１３２、およびカメラヘッド１３６が、“患者の体内に挿入されて、体内を撮像する撮像装置”の役目を果たす。
【００４５】
なお、内視鏡装置として機能する医療用観察装置１０は、例えば、いわゆるステレオカメラとして機能する複数の撮像装置を備える構成であってもよい。ステレオカメラとして機能する撮像装置の構成において、光学系は、第１の例に係る医療用観察システムを構成する医療用観察装置１０と同様に、ガリレオ式光学系であってもよいし、グリノー式光学系であってもよい。
【００４６】
（１−４）制御ユニット１４０
制御ユニット１４０は、撮像装置を制御する。より具体的には、制御ユニット１４０は、光源ユニット１３２およびカメラヘッド１３６それぞれを制御する。
【００４７】
また、制御ユニット１４０は、通信デバイス（図示せず）を含み、カメラヘッド１３６から出力された撮像信号を任意の無線通信または任意の有線通信で、表示装置２０へ送信する。制御ユニット１４０は、撮像信号と表示制御信号とを表示装置２０へ送信してもよい。
【００４８】
制御ユニット１４０が含む通信デバイス（図示せず）としては、例えば、ＩＥＥＥ８０２．１５．１ポートおよび送受信回路（無線通信）や、ＩＥＥＥ８０２．１１ポートおよび送受信回路（無線通信）、通信アンテナおよびＲＦ回路（無線通信）、光通信用デバイス（有線通信または無線通信）、あるいはＬＡＮ端子および送受信回路（有線通信）などが挙げられる。通信デバイス（図示せず）は、複数の通信方式によって、１または２以上の外部装置と通信を行うことが可能な構成であってもよい。
【００４９】
また、制御ユニット１４０は、カメラヘッド１３６から出力された撮像信号に対して所定の処理を行い、所定の処理が行われた撮像信号を表示装置２０へ送信してもよい。撮像信号に対する所定の処理としては、例えば、ホワイトバランスの調整や、電子ズーム機能に係る画像の拡大または縮小、画素間補正などが、挙げられる。
【００５０】
なお、制御ユニット１４０は、撮像信号に基づく医療用撮像画像を記憶してもよい。制御ユニット１４０としては、例えばＣＣＵ（Ｃａｍｅｒａ  Ｃｏｎｔｒｏｌ  Ｕｎｉｔ）が挙げられる。
【００５１】
内視鏡装置として機能する医療用観察装置１０は、例えば図２を参照して示したハードウェア構成を有する。内視鏡装置として機能する医療用観察装置１０では、例えば、挿入部材１３０、光源ユニット１３２、およびカメラヘッド１３６が、撮像装置の役目を果たし、制御ユニット１４０により撮像装置における撮像が制御される。
【００５２】
（２）表示装置２０
表示装置２０は、第１の実施形態に係る医療用観察システム１における表示手段であり、医療用観察装置１０からみて外部の表示デバイスに該当する。表示装置２０は、例えば、医療用観察装置１０において撮像された医療用撮像画像や、ＵＩ（Ｕｓｅｒ  Ｉｎｔｅｒｆａｃｅ）に係る画像などの、様々な画像を表示画面に表示する。具体的に、表示装置２０は、制御ユニット１４０から送信される撮像信号に基づき医療用撮像画像を生成し、生成した医療用撮像画像を表示画面に表示する。
【００５３】
また、表示装置２０は、任意の方式により３Ｄ表示が可能な構成を有していてもよい。表示装置２０における表示は、例えば、医療用観察装置１０、または、医療用制御装置（図示せず）によって制御される。
【００５４】
医療用観察システム１において表示装置２０は、手術室の壁面や天井、床面などの、手術室内においてユーザにより視認されうる任意の場所に設置される。
【００５５】
表示装置２０としては、例えば、液晶ディスプレイや有機ＥＬ（Ｅｌｅｃｔｒｏ−Ｌｕｍｉｎｅｓｃｅｎｃｅ）ディスプレイ、ＣＲＴ（Ｃａｔｈｏｄｅ  Ｒａｙ  Ｔｕｂｅ）ディスプレイなどが挙げられる。
【００５６】
なお、表示装置２０は、上記に示す例に限られない。例えば、表示装置２０は、ヘッドマウントディスプレイやアイウェア型の装置などのような、ユーザなどが身体に装着して用いる任意のウェアラブル装置であってもよい。
【００５７】
表示装置２０は、例えば、表示装置２０が備えているバッテリなどの内部電源から供給される電力、または、接続されている外部電源から供給される電力などによって、駆動する。
【００５８】
＜２．２．機能構成例＞
続いて、図３〜図７を参照しながら、医療用観察システム１の機能構成例について説明する。
【００５９】
＜２．２．１．医療用観察装置１０の機能構成例＞
以下では、図３及び図４を参照しながら、第１の実施形態に係る医療用観察装置１０の機能構成例について説明する。図３は、第１の実施形態に係る医療用観察装置１０の機能構成例を示すブロック図である。図３に示すように、第１の実施形態に係る医療用観察装置１０は、例えば、撮像部１００、制御部１１０、及び通信部１２０を備える。
【００６０】
（１）撮像部１００
撮像部１００は、観察対象を撮像する。撮像部１００は、例えば、図２にて示した挿入部材１３０、光源ユニット１３２、およびカメラヘッド１３６で構成される。撮像部１００における撮像は、例えば制御部１１０によって制御される。
【００６１】
（２）制御部１１０
制御部１１０は、例えば上述したプロセッサ（図示せず）で構成され、医療用観察装置１０全体を制御する役目を果たす。また、制御部１１０は、後述する撮像制御処理及び表示制御処理を主導的に行う役目を果たす。なお、制御部１１０における撮像制御処理及び表示制御処理は、複数の処理回路（例えば、複数のプロセッサなど）で分散して行われてもよい。
【００６２】
より具体的に、制御部１１０は、図３に示すように、明るさ制御部１１２、及び表示制御部１１４を有する。
【００６３】
（２−１）明るさ制御部１１２
明るさ制御部１１２は、撮像部１００を構成する撮像装置を制御する。例えば、明るさ制御部１１２は、撮像装置が観察対象を撮像する際の明るさを制御するための撮像制御処理を行う。具体的に、明るさ制御部１１２は、表示装置２０を判定するための判定情報に基づき、表示装置２０のダイナミックレンジを特定する。次いで、明るさ制御部１１２は、特定された表示装置２０のダイナミックレンジに対応する明るさの目標値を決定する。より具体的に、撮像制御処理では、以下に示す判定情報取得処理、判定処理、及び明るさの目標値の決定処理が行われる。
【００６４】
（判定情報取得処理）
明るさ制御部１１２は、まず、医療用観察装置１０に接続されている表示装置２０を判定するための判定情報を取得する。当該判定情報は、操作情報とダイナミックレンジ情報とを含み得る。
【００６５】
操作情報とは、ユーザによる所定の操作により入力される操作に関する情報である。例えば、ユーザは、医療用撮像画像を表示する表示装置２０を選択する選択操作を行う。明るさ制御部１１２は、ユーザが選択した表示装置２０に関する情報を操作情報（判定情報）として取得する。
【００６６】
ダイナミックレンジ情報とは、表示装置２０のダイナミックレンジを示す情報である。明るさ制御部１１２は、例えば、医療用観察装置１０に接続されている表示装置２０からダイナミックレンジ情報を取得する。また、明るさ制御部１１２は、医療用観察装置１０に接続されている表示装置２０から識別情報を取得し、当該識別情報に基づき、表示装置２０のダイナミックレンジ情報を取得してもよい。例えば、明るさ制御部１１２は、取得した識別情報に基づき、医療用観察装置１０の記憶部に予め登録されている表示装置２０のダイナミックレンジ情報を参照することで、表示装置２０のダイナミックレンジ情報を取得する。
【００６７】
なお、明るさ制御部１１２は、医療用観察装置１０と表示装置２０とが片方向通信のみ可能なケーブル等で接続されている場合、表示装置２０からダイナミック情報又は識別情報を取得できないため、上述の操作情報を取得する。一方、明るさ制御部１１２は、医療用観察装置１０と表示装置２０とが双方向通信可能なケーブル等で接続されている場合、上述のダイナミックレンジ情報又は識別情報を表示装置２０から取得する。片方向通信のみ可能なケーブルは、例えば、ＳＤＩ（Ｓｅｒｉａｌ  Ｄｉｇｉｔａｌ  Ｉｎｔｅｒｆａｃｅ）ケーブル等である。また、双方向通信可能なケーブルは、例えば、ＨＤＭＩ（Ｈｉｇｈ−Ｄｉｆｉｎｔｉｉｏｎ  Ｍｕｌｔｉｍｅｄｉａ  Ｉｎｔｅｒｆａｃｅ）ケーブル又はＤｉｓｐｌａｙ  Ｐｏｒｔケーブル等である。なお、ＳＤＩケーブルにより医療用観察装置１０と表示装置２０が接続される場合、医療用観察装置１０は表示装置２０へユーザＩＤを送信し、表示装置２０は当該ユーザＩＤに応じて逆ガンマ補正及び明るさの調整を行ってもよい。この場合、ユーザＩＤは、ユーザが使用する表示装置２０と対応付けられているものとする。
【００６８】
（判定処理）
明るさ制御部１１２は、取得した判定情報に基づき、表示装置２０のダイナミックレンジを特定する。例えば、明るさ制御部１１２は、所定の選択操作に基づき、表示装置２０のダイナミックレンジを特定する。具体的に、明るさ制御部１１２は、判定情報として取得した操作情報より、ユーザが選択操作により選択した表示装置２０を確認する。そして、明るさ制御部１１２は、ユーザに選択された表示装置２０のダイナミックレンジを、医療用観察装置１０に接続された表示装置２０のダイナミックレンジとして特定する。また、明るさ制御部１１２は、判定情報として取得したダイナミックレンジ情報に基づき、表示装置２０のダイナミックレンジを特定する。具体的に、明るさ制御部１１２は、判定情報として取得したダイナミックレンジ情報が示すダイナミックレンジを、医療用観察装置１０に接続された表示装置２０のダイナミックレンジとして特定する。
【００６９】
明るさ制御部１１２は、判定処理にて特定した表示装置２０のダイナミックレンジに基づき、撮像部１００にどのように観察対象を撮像させるかを決定する。例えば、表示装置２０のダイナミックレンジがＨＤＲである場合、表示装置２０は、輝度を高くして医療用撮像画像を表示する。そのため、明るさ制御部１１２は、撮像部１００に明るさを暗くして観察対象を撮像させると決定する。一方、表示装置２０のダイナミックレンジがＳＤＲである場合、表示装置２０は、輝度を高くすることなく医療用撮像画像を表示する。そのため、明るさ制御部１１２は、撮像部１００に明るさを暗くせずに観察対象を撮像させると決定する。
【００７０】
（明るさ目標値の決定処理）
明るさ制御部１１２は、判定処理の結果に応じて、観察対象を撮像する際の明るさの目標値を決定する。例えば、撮像部１００に明るさを暗くして観察対象を撮像させると決定した場合、明るさ制御部１１２は、表示装置２０のダイナミックレンジと、所定のダイナミックレンジとを比較し、比較の結果に基づき明るさの目標値を決定する。具体的に、明るさ制御部１１２は、表示装置２０のダイナミックレンジの最大値と、所定のダイナミックレンジの最大値との差分を抽出し、当該差分に基づき、明るさの目標値を決定する。
【００７１】
例えば、明るさ制御部１１２は、表示装置２０のダイナミックレンジの最大値が、所定のダイナミックレンジの最大値のｎ倍（ｎは実数）である場合、表示装置２０における明るさの目標値を、所定のダイナミックレンジに対応する目標値の１／ｎ倍とする。具体的に、医療用観察装置１０に接続された表示装置２０のダイナミックレンジがＨＤＲであり、ＨＤＲの表示装置２０のダイナミックレンジの最大値がＳＤＲの表示装置２０のダイナミックレンジの最大値の２倍であったとする。この場合、明るさ制御部１１２は、ＨＤＲの表示装置２０における明るさの目標値をＳＤＲの表示装置２０の明るさ目標値の１／２倍とする。
【００７２】
なお、明るさの目標値は、撮像装置が観察対象を撮像する際の明るさが明るくなるように決定されてもよい。また、表示装置２０における明るさの目標値を算出する際の所定のダイナミックレンジに対応する目標値に乗算する倍率は、１／ｎ倍に限定されず、任意の倍率が設定されてもよい。
【００７３】
（明るさの制御処理）
明るさ制御部１１２は、例えば、光源ユニット１３２が発光する光の光量を制御することで、撮像部１００が観察対象を撮像する際の明るさを調整する。具体的に、撮像時の明るさを明るくしたい場合、明るさ制御部１１２は、光源ユニット１３２が発光する光の光量を多くする。これにより、観察対象に投射される光量が多くなるため、撮像時の明るさが明るくなり、撮像信号の明るさも明るくなる。一方、撮像時の明るさを暗くしたい場合、明るさ制御部１１２は、光源ユニット１３２が発光する光の光量を少なくする。これにより、観察対象に投射される光量が少なくなるため、撮像時の明るさが暗くなり、撮像信号の明るさも暗くなる。
【００７４】
（その他の制御処理）
また、明るさ制御部１１２は、例えば、ズーム機能（光学ズーム機能および電子ズーム機能）を含む、ＡＦ機能の制御などの一般的に電子撮像式の顕微鏡部に備えられる１または２以上の機能の制御を行ってもよい。
【００７５】
（２−２）表示制御部１１４
表示制御部１１４は、表示装置２０における医療用撮像画像の表示を制御する。医療用撮像画像の表示の制御としては、例えば、表示制御部１１４は、表示制御処理を行い、医療用撮像画像が表示装置２０に表示される際の明るさの制御を行う。
【００７６】
ここで、図４を参照しながら、ガンマ補正について説明する。図４は、第１の実施形態に係る医療用観察装置１０における入出力関係の例を示す説明図である。図４に示すグラフの横軸は、医療用観察装置１０に入力されるデータを示し、縦軸は、医療用観察装置１０から出力されるデータを示す。
【００７７】
通常、表示装置２０には、入力された撮像信号に対応する画像がそのまま出力されることが理想である。当該理想のように画像が出力されるには、表示装置における入出力関係を示すガンマ値が１．０に設定されている必要がある。しかしながら、一般的には、表示装置２０におけるガンマ値は１．０ではなく２．２に設定されており、入力された撮像信号のＲＧＢの値を小さくして撮像信号に対応する医療用撮像画像を暗くする逆ガンマ補正という処理が行われている。そのため、表示装置２０に対して撮像信号を撮像時の状態のまま入力すると、表示装置２０における逆ガンマ補正により医療用撮像画像が暗く表示される。そのため、撮像信号が表示装置に入力される前に予めＲＧＢの値を大きくしておくことで、表示装置２０にて医療用撮像画像が暗く表示されることを防ぐことができる。上述のように、ＲＧＢの値を予め大きくする処理は、ガンマ補正と称される。
【００７８】
なお、ガンマ値が１．０である場合の入出力関係は、図４に示す破線のようになる。また、ガンマ値が２．２の場合の入出力関係は、図４に示す１点鎖線のようになり、当該関係はＳＤＲの表示装置２０における入出力関係に相当する。なお、ＨＤＲの表示装置２０における入出力関係は、図４に示す二点鎖線のようになる。当該二点鎖線は、ＨＬＧ（Ｈｙｂｒｉｄ  Ｌｏｇ  Ｇａｍｍａ）方式に基づく入出力関係を示している。なお、ＨＤＲの表示装置２０における入出力関係は、ＰＱ（Ｐｅｒｃｅｐｔｕａｌ  Ｑｕａｎｔｉｚａｔｉｏｎ）方式に基づく入出力関係であってもよい。
【００７９】
第１の実施形態に係る医療用観察装置１０では、表示制御部１１４が撮像信号に対して表示装置２０が有するガンマ値に基づきガンマ補正を行い、ガンマ補正が行われた撮像信号から生成される医療用撮像画像を表示装置２０に表示させる。例えば、表示制御部１１４は、表示装置２０と所定のガンマ値を有する表示装置２０とに表示される医療用撮像画像の中間の輝度値が同一となるように、撮像信号に対してガンマ補正を行う。具体的に、表示制御部１１４は、医療用撮像画像がＨＤＲの表示装置２０に表示される場合、ＨＤＲの表示装置２０とガンマ値が２．２のＳＤＲの表示装置２０とに表示される医療用撮像画像の中間の輝度値が同一となるようにガンマ補正を行う。これにより、表示装置２０は、ＨＤＲの表示装置２０とＳＤＲの表示装置２０の両方における医療用撮像画像の視認性が同一となるように、各々の表示装置２０に医療用撮像画像を表示することができる。
【００８０】
（３）通信部１２０
通信部１２０は、医療用観察装置１０が備える通信手段であり、表示装置２０などの外部装置と無線または有線で通信を行う役目を果たす。通信部１２０は、例えば上述した通信デバイス（図示せず）で構成される。通信部１２０における通信は、例えば制御部１１０によって制御される。
【００８１】
＜２．２．２．表示装置２０の機能構成例＞
以下では、図５及び図６を参照しながら、第１の実施形態に係る表示装置２０の機能構成例について説明する。図５は、第１の実施形態に係る表示装置２０における入出力関係の例を示す説明図である。図５に示すグラフの横軸は、表示装置２０に入力されるデータを示し、縦軸は、表示装置２０から出力されるデータを示す。
【００８２】
表示装置２０は、少なくとも制御部（図示しない）を備える。当該制御部は、ガンマ補正によりＲＧＢの値が予め大きくされた撮像信号に対して、逆ガンマ補正を行う。これにより、当該制御部は、撮像信号のＲＧＢの値を小さくすることで、図５に破線で示されている理想的な入出力関係により近づけた上で、撮像信号を医療用撮像画像として表示装置２０に表示させる。
【００８３】
医療用撮像画像がＳＤＲの表示装置２０に表示される場合、当該制御部は、図５の１点鎖線が示す入出力関係に基づき、逆ガンマ補正を行う。なお、一点鎖線が示す入出力関係は、ガンマ値が２．２の場合の入出力関係を示している。また、医療用撮像画像がＨＤＲの撮像画像に表示される場合、当該制御部は、図５に示す二点鎖線が示す入出力関係に基づき、逆ガンマ補正を行う。なお、二点鎖線が示す入出力関係は、ＨＬＧ（Ｈｙｂｒｉｄ  Ｌｏｇ  Ｇａｍｍａ）方式に基づく入出力関係を示している。なお、ＨＤＲの表示装置２０における入出力関係は、ＰＱ（Ｐｅｒｃｅｐｔｕａｌ  Ｑｕａｎｔｉｚａｔｉｏｎ）方式に基づく入出力関係であってもよい。
【００８４】
ここで、図６を参照しながら、表示装置２０が表示する医療用撮像画像について説明する。図６は、第１の実施形態に係る医療用撮像画像の表示例を示す説明図である。図６の上部の図は、ＳＤＲの表示装置２０に表示された医療用撮像画像、下部の図は、ＨＤＲの表示装置２０に表示された医療用撮像画像を示している。また、図６の左側の図は、撮像時の医療用撮像画像、右側の図は、補正後の医療用撮像画像を示している。
【００８５】
上部左側の医療用撮像画像は、ＳＤＲの表示装置に表示されるため、明るさを暗くせず、普通の明るさで撮像されており、観察対象５０には白飛びが生じている。上部左側の医療用撮像画像が補正された上部右側の医療用撮像画像の明るさは、補正により上部左側の医療用撮像画像の明るさよりも明るくなっており、観察対象５０には白飛びが生じたままとなっている。
【００８６】
下部左側の医療用撮像画像は、ＨＤＲの表示装置に表示されるため、上部左側の医療用撮像画像の明るさよりも暗い明るさで撮像されており、観察対象５０には白飛びが生じていない。下部左側の医療用撮像画像が補正された下部右側の医療用撮像画像の明るさは、補正により下部左側の医療用撮像画像の明るさよりも明るくなっているが、観察対象５０には白飛びが生じていない。
【００８７】
＜２．３．動作例＞
以下では、図７〜図１０を参照しながら、第１の実施形態に係る医療用観察システム１の動作例について説明する。
【００８８】
（１）医療用観察システム１全体の動作例
まず、医療用観察システム１が表示装置２０に医療用撮像画像を表示するまでの一連の動作例について説明する。図７は、第１の実施形態に係る医療用観察システム１の動作の流れを示すシーケンス図である。
【００８９】
図７に示すように、まず、制御部１１０は、判定情報を取得する（ステップＳ１０００）。次いで、制御部１１０は、取得した判定情報に基づき、医療用観察装置１０に接続されている表示装置２０のダイナミックレンジを判定する判定処理を行う（ステップＳ１００２）。なお、判定処理の詳細処理については、後述される。次いで、制御部１１０は、判定処理の結果に基づき、明るさの目標値を決定する（ステップＳ１００４）。そして、制御部１１０は、決定した目標値の明るさとなる医療用撮像画像を撮像するように、撮像部１００へ撮像指示を出力する（ステップＳ１００６）。
【００９０】
制御部１１０から撮像指示を入力された撮像部１００は、撮像指示に従い観察対象を撮像し（ステップＳ１００８）、撮像によって得られた撮像信号を制御部１１０へ出力する（ステップＳ１０１０）。
【００９１】
撮像部１００から撮像信号を入力された制御部１１０は、撮像信号に対して、撮像信号が送信される表示装置２０に応じた補正処理を行う（ステップＳ１０１２）。なお、補正処理の詳細処理については後述される。補正処理後、制御部１１０は、通信部１２０を介して補正した撮像信号を表示装置２０へ送信する（ステップＳ１０１４）。
【００９２】
撮像信号を受信した表示装置２０は、撮像信号を医療用撮像画像として表示するための表示処理を行う（ステップＳ１０１６）。なお、表示処理の詳細処理については、後述される。医療用観察システム１は、当該表示処理にて表示装置２０に医療用撮像画像が表示されると動作を終了する。
【００９３】
（２）判定処理
次いで、第１の実施形態に係る制御部１１０における、判定処理の詳細処理について説明する。図８は、第１の実施形態に係る判定処理における処理の流れを示すフローチャートである。
【００９４】
図８に示すように、まず、制御部１１０は、取得した判定情報より、医療用観察装置１０に接続されている表示装置２０のダイナミックレンジを特定する（ステップＳ１２００）。次いで、制御部１１０は、特定したダイナミックレンジがＨＤＲであるか否かを確認する（ステップＳ１２０２）。特定したダイナミックレンジがＨＤＲである場合（ステップＳ１２０２／ＹＥＳ）、制御部１１０は、明るさを暗くして撮像部１００に観察対象を撮像させると決定する（ステップＳ１２０４）。一方、特定したダイナミックレンジがＨＤＲでない場合（ステップＳ１２０２／ＮＯ）、制御部１１０は、明るさを暗くせずに撮像部１００に観察対象を撮像させると決定する（ステップＳ１２０６）。そして、制御部１１０は、判定処理を終了する。
【００９５】
（３）補正処理
次いで、第１の実施形態に係る制御部１１０における、補正処理の詳細処理について説明する。図９は、第１の実施形態に係る補正処理における処理の流れを示すフローチャートである。
【００９６】
図９に示すように、まず、制御部１１０は、入力された撮像信号のホワイトバランスを調整する（ステップＳ１４００）。次いで、制御部１１０は、表示装置２０のダイナミックレンジに応じたガンマ補正を行う（ステップＳ１４０２）。例えば、ダイナミックレンジがＨＤＲである場合、制御部１１０は、ＨＤＲに対応するガンマ値を用いて、撮像信号に対してガンマ補正を行う。また、ダイナミックレンジがＳＤＲである場合、制御部１１０は、ＳＤＲに対応するガンマ値を用いて、撮像信号に対してガンマ補正を行う。そして、制御部１１０は、ガンマ補正後の撮像信号をＲＧＢからＹＣｂＣｒへ変換し（ステップＳ１４０４）、補正処理を終了する。
【００９７】
（４）表示処理
次いで、第１の実施形態に係る表示装置２０における、表示処理の詳細処理について説明する。図１０は、第１の実施形態に係る表示処理における処理の流れを示すフローチャートである。
【００９８】
図１０に示すように、まず、表示装置２０は、受信した撮像信号をＹＣｂＣｒからＲＧＢへ変換する（ステップＳ１６００）。次いで、表示装置２０は、変換した撮像信号に対して、表示装置２０のダイナミックレンジに応じた逆ガンマ補正を行う（ステップＳ１６０２）。例えば、ダイナミックレンジがＨＤＲである場合、表示装置２０は、ＨＤＲに対応するガンマ値を用いて、撮像信号に対して逆ガンマ補正を行う。また、ダイナミックレンジがＳＤＲである場合、表示装置２０は、ＳＤＲに対応するガンマ値を用いて、撮像信号に対して逆ガンマ補正を行う。そして、表示装置２０は、補正された撮像信号に対応する医療用撮像画像を生成し、生成した医療用撮像画像を表示し（ステップＳ１６０４）、表示処理を終了する。
【００９９】
以上、図２〜図１０を参照しながら、第１の実施形態について説明した。続いて、第２の実施形態について説明する。
【０１００】
＜＜３．第２の実施形態＞＞
以下では、図１１〜図１４を参照しながら、第２の実施形態について説明する。上述の第１の実施形態では、医療用観察装置１０に１台の表示装置２０のみが接続される例について説明した。第２の実施形態では、医療用観察装置１０に複数台の表示装置２０が接続される例について説明する。なお、以下では、第１の実施形態と相違する点のみを説明し、第１の実施形態と重複する点の説明を省略する。
【０１０１】
＜３．１．システム構成例＞
以下では、図１１を参照しながら、第２の実施形態に係る医療用観察システム２の構成例について説明する。図１１は、第２の実施形態に係る医療用観察システム２の構成例を示す説明図である。図１１に示すように、第２の実施形態に係る医療用観察システム２は、例えば、医療用観察装置１０と、表示装置２０Ａと、表示装置２０Ｂとを有する。
【０１０２】
なお、医療用観察装置１０に複数台の表示装置２０が接続される点以外の第２の実施形態に係る医療用観察システム２のシステム構成は、上述した第１の実施形態に係る医療用観察システム１のシステム構成と同一である。したがって、本節では、医療用観察システム２のシステム構成に関する詳細な説明を省略する。
【０１０３】
＜３．２．機能構成例＞
以下では、第２の実施形態に係る医療用観察装置１０の機能構成例について説明する。なお、第２の実施形態に係る医療用観察装置１０の機能構成は、第１の実施形態に係る医療用観察装置１０の機能構成と同一である。ただし、制御部１１０における一部処理が異なる。したがって、本節では、制御部１１０における当該一部処理についてのみ説明する。
【０１０４】
（１）制御部１１０
第２の実施形態に係る制御部１１０の機能構成は、第１の実施形態に係る制御部１１０の機能構成と同一である。ただし、各々の構成要素における処理が一部異なる。
【０１０５】
（１−１）明るさ制御部１１２
第２の実施形態に係る明るさ制御部１１２は、明るさ目標値を決定する際の基準となる表示装置２０を、複数の表示装置２０の中から選択する点が第１の実施形態に係る明るさ制御部１１２と異なる。複数の表示装置２０が存在する場合、明るさ制御部１１２は、撮像信号が複数の表示装置２０の中から選択される表示装置２０のダイナミックレンジに対応する明るさとなるように、撮像装置における撮像を制御する。
【０１０６】
複数の表示装置２０の中から選択される表示装置２０は、例えば、所定のユーザに対応付けられている表示装置２０である。具体的に、所定のユーザに対応付けられている表示装置２０として、メインの術者に対応付けられた表示装置２０が選択され得る。さらに、所定のユーザに対応付けられている表示装置２０として、メインの術者の補助者に対応付けられた表示装置２０が選択され得る。また、複数の表示装置２０の中から選択される表示装置２０は、例えば、複数の表示装置２０の中で表示装置２０のダイナミックレンジが高い表示装置２０であってもよい。具体的に、ダイナミックレンジが高い表示装置２０として、ＨＤＲの表示装置２０が選択され得る。複数の表示装置２０の中から特定の表示装置２０を選択すると、明るさ制御部１１２は、第１の実施形態と同様にして、明るさの目標値を決定する。
【０１０７】
（１−２）表示制御部１１４
第２の実施形態に係る表示制御部１１４は、複数の表示装置２０の各々に医療用撮像画像を表示させるために、各々の表示装置２０の特性に合わせた複数の撮像信号を生成する点が第１の実施形態に係る表示制御部１１４と異なる。
【０１０８】
複数の表示装置２０が存在する場合、表示制御部１１４は、複数の表示装置２０の各々が有するガンマ値に基づきガンマ補正が行われた撮像信号から生成される医療用撮像画像を、複数の表示装置２０の各々に表示させる。ここで、図１２を参照しながら、第２の実施形態に係るガンマ補正の例について説明する。図１２は、第２の実施形態に係る複数の表示装置２０向けのガンマ補正の例を示す説明図である。図１２の左側の図は、ＨＤＲの表示装置２０向けのガンマ補正の例を示し、右側の図は、ＳＤＲの表示装置２０向けのガンマ補正の例を示している。
【０１０９】
例えば、表示制御部１１４は、撮像信号に対して図１２の左側のグラフに示すガンマ補正を行うことで、複数の表示装置２０の中のＨＤＲの表示装置２０向けの撮像信号を生成する。また、表示制御部１１４は、撮像信号に対して図１２の右側のグラフに示すガンマ補正を行うことで、複数の表示装置２０の中のＳＤＲの表示装置２０向けの撮像信号を生成する。なお、表示制御部１１４は、図１２の左側のグラフに示すガンマ補正では、入力される撮像信号の全てを使ってガンマ補正を行うのに対し、右側のグラフに示すガンマ補正では、入力される撮像信号の低レベルの部分だけを使ってガンマ補正を行う。これにより、表示制御部１１４は、ＳＤＲの表示装置２０に表示させる医療用撮像画像の高輝度部分を飽和させることができる。
【０１１０】
また、表示制御部１１４は、明るさ制御部１１２によって決定されたＨＤＲの表示装置２０に応じた明るさの目標値に対応する明るさとなる医療用撮像画像をＳＤＲの表示装置２０に表示させるために、撮像画像全体に対してゲインを乗じてもいい。具体的には、明るさ制御部１１２によって決定されたＨＤＲの表示装置２０に応じた明るさの目標値とＳＤＲの表示装置２０に応じた明るさの目標値との比に基づく係数をゲインとして医療用撮像画像に乗じてもいい。これによりＨＤＲの表示装置２０に応じた明るさとなる医療用撮像画像をＳＤＲの表示装置２０に表示する際に、ＳＤＩの表示装置２０においても良好な明るさで撮像画像を表示可能である。
【０１１１】
＜３．３．動作例＞
以下では、図１３及び図１４を参照しながら、第２の実施形態に係る医療用観察システム２の動作例について説明する。
【０１１２】
（１）医療用観察システム２全体の動作例
まず、医療用観察システム２が複数の表示装置２０に医療用撮像画像を表示するまでの一連の動作例について説明する。図１３は、第２の実施形態に係る医療用観察システム２の動作の流れを示すシーケンス図である。
【０１１３】
図１３に示すように、まず、制御部１１０は、判定情報を取得する（ステップＳ２０００）。次いで、制御部１１０は、取得した判定情報に基づき、医療用観察装置１０に接続されている表示装置２０Ａ、及び表示装置２０Ｂの各々のダイナミックレンジを判定する判定処理を行う（ステップＳ２００２）。なお、判定処理の詳細処理は、第１の実施形態にて説明した判定処理と同一であるため、本節における説明は省略される。次いで、制御部１１０は、判定処理の結果に基づき、明るさの目標値を決定する（ステップＳ２００４）。そして、制御部１１０は、決定した目標値の明るさとなる医療用撮像画像を撮像するように、撮像部１００へ撮像指示を出力する（ステップＳ２００６）。
【０１１４】
制御部１１０から撮像指示を入力された撮像部１００は、撮像指示に従い観察対象を撮像し（ステップＳ２００８）、撮像によって得られた撮像信号を制御部１１０へ出力する（ステップＳ２０１０）。
【０１１５】
撮像部１００から撮像信号を入力された制御部１１０は、撮像信号に対して、撮像信号が送信される表示装置２０Ａ及び表示装置２０Ｂの各々に応じた補正処理を行う（ステップＳ２０１２）。なお、補正処理の詳細処理については、後述される。補正処理後、制御部１１０は、通信部１２０を介して補正した撮像信号を表示装置２０Ａ及び表示装置２０Ｂの各々へ送信する（ステップＳ２０１４及びステップＳ２０１６）。
【０１１６】
撮像信号を受信した表示装置２０Ａ及び表示装置２０Ｂは、撮像信号を医療用撮像画像として表示するための表示処理をそれぞれ行う（ステップＳ２０１８及びステップＳ２０２０）。なお、表示処理の詳細処理は、第１の実施形態にて説明した表示処理と同一であるため、本節における説明は省略される。医療用観察システム２は、当該表示処理にて表示装置２０Ａ及び表示装置２０Ｂに医療用撮像画像が表示されると動作を終了する。
【０１１７】
（２）補正処理
次いで、第２の実施形態に係る制御部１１０における、補正処理の詳細処理について説明する。図１４は、第２の実施形態に係る補正処理における処理の流れを示すフローチャートである。
【０１１８】
図１４に示すように、まず、制御部１１０は、入力された撮像信号のホワイトバランスを調整する（ステップＳ２２００）。次いで、制御部１１０は、複数の表示装置２０の各々のダイナミックレンジに応じたガンマ補正を行い、複数の撮像信号を生成する（ステップＳ２２０２）。例えば、表示装置２０ＡのダイナミックレンジがＨＤＲである場合、制御部１１０は、ＨＤＲに対応するガンマ値を用いて、撮像信号に対してガンマ補正を行い、表示装置２０Ａに送信するための撮像信号を生成する。また、例えば、表示装置２０ＢのダイナミックレンジがＳＤＲである場合、制御部１１０は、ＳＤＲに対応するガンマ値を用いて、撮像信号に対してガンマ補正を行い、表示装置２０Ｂに送信するための撮像信号を生成する。そして、制御部１１０は、ガンマ補正後の撮像信号をＲＧＢからＹＣｂＣｒへ変換し（ステップＳ２２０４）、補正処理を終了する。
【０１１９】
以上、図１１〜図１４を参照しながら、第２の実施形態について説明した。続いて、本開示の実施形態の変形例について説明する。
【０１２０】
＜＜４．変形例＞＞
以下では、本開示の実施形態の変形例を説明する。なお、以下に説明する変形例は、単独で本開示の実施形態に適用されてもよいし、組み合わせで本開示の実施形態に適用されてもよい。また、変形例は、本開示の実施形態で説明した構成に代えて適用されてもよいし、本開示の実施形態で説明した構成に対して追加的に適用されてもよい。
【０１２１】
＜４．１．第１の変形例＞
以下では、本開示の実施形態に係る第１の変形例について説明する。
【０１２２】
上述の実施形態では、制御部１１０がダイナミックレンジに基づき明るさの目標値を決定する例について説明した。第１の変形例では、制御部１１０がさらに表示装置２０の表示モードに基づき、明るさの目標値を決定する例について説明する。
【０１２３】
表示モードの例として、医療用撮像画像を３Ｄで表示する３Ｄモードと、医療用撮像画像を２Ｄで表示する２Ｄモードとが挙げられる。一般的に、医療用撮像画像を３Ｄモードで表示可能な表示装置２０（例えば３Ｄメガネ）では、医療用撮像画像を２Ｄモードで表示する表示装置２０の場合と比べ、明るさが暗く表示される。そこで、３Ｄモードの場合、制御部１１０は、医療用撮像画像が２Ｄモードの場合よりも暗く表示されることを考慮した上で明るさの目標値を決定する。例えば、制御部１１０は、撮像装置が明るさを明るくして観察対象を撮像し、表示装置２０である３Ｄメガネが明るさを暗くして医療用撮像画像を表示することを考慮した明るさの目標値を決定する。なお、２Ｄモードの場合、制御部１１０は、上述した実施形態と同様にして明るさの目標値を決定してよい。
【０１２４】
上述のように、制御部１１０は、表示装置２０の表示モードも考慮して明るさの目標値を決定することで、表示装置２０により最適な明るさの医療用撮像画像を表示することができ、ユーザが医療用撮像画像を視認する際の視認性を向上することができる。
【０１２５】
＜４．２．第２の変形例＞
以下では、図１５を参照しながら、本開示の実施形態に係る第２の変形例について説明する。図１５は、変形例に係る判定処理を示す説明図である。
【０１２６】
上述の実施形態では、制御部１１０がダイナミックレンジに基づき明るさの目標値を決定する例、及び制御部１１０が表示装置２０の表示モードに基づき明るさの目標値を決定する例について説明した。第２の変形例では、制御部１１０がさらに撮像装置の種類に基づき、明るさの目標値を決定する例について説明する。
【０１２７】
上述の実施形態では、観察対象の撮像時に観察対象に対して可視光（例えば白色光）を当てる撮像装置の例を説明した。撮像装置には、例えば、観察対象の撮像時に観察対象に対して特殊光を当てる撮像装置が用いられてもよい。特殊光を用いて撮像される医療用撮像画像は、白飛びせずに撮像される。したがって、撮像装置が特殊光を用いて観察対象を撮像する撮像装置である場合、制御部１１０は、撮像装置が明るさを暗くせずに観察対象を撮像し、表示装置２０が明るさを明るくせずに医療用撮像画像を表示することを考慮した明るさの目標値を決定する。
【０１２８】
また、撮像装置には、所定の時間ごとに可視光と特殊光とを切り替えて観察対象を撮像する撮像装置が用いられてもよい。なお、所定の時間ごとに可視光と特殊光とを切り替えて撮像された複数の医療用撮像画像は、重畳された上で表示装置２０に表示される。可視光を用いて撮像された医療用撮像画像は、上述のように明るさが暗くなるように撮像されている。そのため、重畳された医療用撮像画像の表示時、重畳された医療用撮像画像に対して表示装置２０が特に処理を行わない場合、重畳された医療用撮像画像は暗く表示されてしまう。そのため、制御部１１０は、撮像装置が可視光と特殊光とを切り替えて観察対象を撮像する撮像装置である場合、表示装置２０が明るさを明るくして重畳された医療用撮像画像を表示することを考慮した明るさの目標値を決定する。
【０１２９】
なお、撮像装置が可視光を用いて観察対象を撮像する場合、制御部１１０は、撮像装置に明るさを暗くして観察対象を撮像させる。一方、撮像装置が特殊光を用いて観察対象を撮像する場合、制御部１１０は、撮像装置に明るさを暗くせずに観察対象を撮像させる。
【０１３０】
なお、所定の時間ごとに可視光と特殊光とを切り替えて観察対象を撮像する撮像装置が用いられる場合、上述の実施形態にて説明した判定処理のフローが異なるため、当該判定処理について図１５を参照しながら説明する。図１５に示すように、まず、制御部１１０は、撮像装置が観察対象に当てる光の種類を確認する（ステップＳ３２００）。次いで、制御部１１０は、観察対象に当てる光が可視光であるか否かを確認する（ステップＳ３２０２）。観察対象に当てる光が可視光である場合（ステップＳ３２０２／ＹＥＳ）、制御部１１０は、明るさを暗くして撮像部１００に観察対象を撮像させると決定する（ステップＳ３２０４）。一方、観察対象に当てる光が可視光でない場合（ステップＳ３２０２／ＮＯ）、制御部１１０は、明るさを暗くせずに撮像部１００に観察対象を撮像させると決定する（ステップＳ３２０６）。そして、制御部１１０は、判定処理を終了する。
【０１３１】
上述のように、制御部１１０は、撮像装置の種類も考慮して明るさの目標値を決定することで、表示装置２０により最適な明るさの医療用撮像画像を表示することができ、ユーザが医療用撮像画像を視認する際の視認性を向上することができる。
【０１３２】
＜４．３．第３の変形例＞
以下では、本開示の実施形態に係る第３の変形例について説明する。
【０１３３】
表示制御部１１４は、医療用撮像画像が表示装置２０に表示される際の医療用撮像画像の輝度に応じて、表示装置２０に表示される文字の輝度を調整する。例えば、表示制御部１１４は、医療用撮像画像が表示装置２０に表示される際の医療用撮像画像の輝度に応じて、ＯＳＤ（Ｏｎ  Ｓｃｒｅｅｎ  Ｄｉｓｐｌａｙ）により表示される情報（以下では、ＯＳＤ情報とも称される）の輝度を下げてもよい。表示装置２０のダイナミックレンジがＨＤＲである場合、表示装置２０は、暗く撮像された医療用撮像画像を表示する際に表示装置２０の輝度を高くする。これにより、ＯＳＤ情報も明るく表示されるため、ＯＳＤ情報の視認性が低下し得る。そこで、表示制御部１１４は、観察対象の撮像時に撮像装置が明るさを暗くした比率と同じ比率でＯＳＤ情報を表示する際の輝度を下げて、表示装置２０にＯＳＤ情報を表示させる。これにより、表示制御部１１４は、表示装置２０に医療用撮像画像よりもＯＳＤ情報を暗く表示させることができる。
【０１３４】
上述のように、表示制御部１１４は、表示装置２０にＯＳＤ情報の輝度を医療用撮像画像の輝度よりも下げて、ＯＳＤ情報を表示させることで、ユーザがＯＳＤ情報を視認する際の視認性を向上することができる。
【０１３５】
＜４．４．第４の変形例＞
以下では、本開示の実施形態に係る第４の変形例について説明する。
【０１３６】
表示装置２０のダイナミックレンジがＨＤＲである場合、上述の実施形態に係る撮像装置は、明るさを暗くして観察対象を撮像するため、暗く撮像した分だけデジタルゲインが大きくなる。デジタルゲインが大きくなることにより、ＳＮ比（Ｓｉｇｎａｌ−Ｎｏｉｓｅ  Ｒａｔｉｏ）が悪化し、医療用撮像画像中のノイズが増加する。そこで、制御部１１０は、表示装置２０のダイナミックレンジがＨＤＲである場合、撮像信号に対してノイズリダクション処理を行ってもよい。例えば、制御部１１０は、補正処理にてノイズリダクション処理を行う。なお、制御部１１０は、表示装置２０のダイナミックレンジがＳＤＲである場合もノイズリダクション処理を行ってもよい。なお、表示装置２０のダイナミックレンジがＳＤＲである場合よりもＨＤＲである場合の方が医療用撮像画像に含まれるノイズは多い。そのため、制御部１１０は、表示装置２０のダイナミックレンジがＨＤＲである場合、ＳＤＲである場合よりもノイズリダクション処理の強度を強くし、ノイズリダクション処理を行うことが望ましい。
【０１３７】
上述のように、表示制御部１１４は、撮像信号に対してノイズリダクション処理を行うことで、撮像信号に含まれるノイズを低減し、ユーザが医療用撮像画像を視認する際の視認性を向上することができる。
【０１３８】
＜４．５．第５の変形例＞
以下では、本開示の実施形態に係る第５の変形例について説明する。
【０１３９】
上述の実施形態では、制御部１１０が光源ユニット１３２から投射される光量を制御することで、撮像時の明るさを調整する例について説明した。撮像時の明るさは、撮像装置のカメラヘッド１３６が有するイメージセンサの絞りを制御することで調整されてもよい。例えば、上述の実施形態では、制御部１１０は、光源ユニット１３２から投射される光量を少なくすることで、撮像時の明るさを暗くしたが、イメージセンサの絞りを小さくすることでレンズを通る光量を少なくし、撮像時の明るさを暗くしてもよい。
【０１４０】
イメージセンサの絞りが小さくなることに伴い、被写界深度がより深くなる。これにより、観察対象が撮像装置に対して近づいたり遠ざかったりした際に焦点が合う範囲が広くなるため、ユーザは、観察対象をより観察しやすくなる。
【０１４１】
＜＜５．まとめ＞＞
以上説明したように、本開示の実施形態に係る医療用制御装置は、観察対象からの光を受光する撮像装置が生成する撮像信号の明るさを制御する。また、医療用制御装置は、画像を表示する表示装置２０に、撮像信号から生成される医療用撮像画像を表示させる。さらに、医療用制御装置は、表示装置２０のダイナミックレンジが高い程、撮像信号の明るさがより暗くなるように撮像信号の明るさを制御する。これにより、医療用制御装置は、ＳＤＲの表示装置２０に表示された医療用撮像画像では飽和していた部分を、ＨＤＲの表示装置２０では復元して表示することができる。
【０１４２】
よって、医療用撮像画像の白飛びを低減することが可能な、新規かつ改良された医療用制御装置及び医療用観察装置を提供することが可能である。
【０１４３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１４４】
例えば、本明細書において説明した各装置は、単独の装置として実現されてもよく、一部または全部が別々の装置として実現されても良い。例えば、医療用観察装置１０、表示装置２０及び医療用制御装置は、単独の装置として実現されてもよい。また、例えば、医療用制御装置が、医療用観察装置１０及び表示装置２０とネットワーク等で接続されたサーバ装置として実現されてもよい。
【０１４５】
また、本明細書において説明した医療用観察装置１０は、各構成要素の一部または全部が別々の装置として実現されることでシステムとして構成されてもよい。例えば、医療用観察装置１０は光源及び撮像装置を備え、制御部は外部装置により実現されるシステムであってもよい。
【０１４６】
また、本明細書において説明した各装置による一連の処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記録媒体（非一時的な媒体：ｎｏｎ−ｔｒａｎｓｉｔｏｒｙ  ｍｅｄｉａ）に予め格納される。そして、各プログラムは、例えば、コンピュータによる実行時にＲＡＭに読み込まれ、ＣＰＵなどのプロセッサにより実行される。
【０１４７】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１４８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４９】
なお、以下のような構成も本開示の技術的範囲に属する。
（１）
観察対象からの光を受光する撮像装置が生成する撮像信号の明るさを制御する明るさ制御部と、
画像を表示する表示装置に、前記撮像信号から生成される医療用撮像画像を表示させる表示制御部と、
を備え、
前記明るさ制御部は、前記表示装置のダイナミックレンジが高い程、前記撮像信号の明るさがより暗くなるように前記撮像信号の明るさを制御する、医療用制御装置。
（２）
前記明るさ制御部は、前記表示装置のダイナミックレンジを特定し、特定された前記表示装置のダイナミックレンジに対応する明るさの目標値を決定する、前記（１）に記載の医療用制御装置。
（３）
前記明るさ制御部は、所定の選択操作に基づき、前記表示装置のダイナミックレンジを特定する、前記（２）に記載の医療用制御装置。
（４）
前記明るさ制御部は、前記表示装置のダイナミックレンジを示すダイナミックレンジ情報に基づき、前記表示装置のダイナミックレンジを特定する、前記（２）に記載の医療用制御装置。
（５）
前記ダイナミックレンジ情報は、前記表示装置から取得される、前記（４）に記載の医療用制御装置。
（６）
前記ダイナミックレンジ情報は、前記表示装置から取得される識別情報に基づき取得される、前記（４）に記載の医療用制御装置。
（７）
前記明るさ制御部は、前記表示装置のダイナミックレンジと、所定のダイナミックレンジとを比較し、比較の結果に基づき前記目標値を決定する、前記（２）〜（６）のいずれか一項に記載の医療用制御装置。
（８）
前記明るさ制御部は、前記表示装置のダイナミックレンジの最大値と、前記所定のダイナミックレンジの最大値との差分に基づき、前記目標値を決定する、前記（７）に記載の医療用制御装置。
（９）
前記明るさ制御部は、前記表示装置のダイナミックレンジの最大値が、前記所定のダイナミックレンジの最大値のｎ倍（ｎは実数）である場合、前記表示装置における前記目標値を、前記所定のダイナミックレンジに対応する目標値の１／ｎ倍とする、前記（８）に記載の医療用制御装置。
（１０）
複数の前記表示装置が存在する場合、
前記明るさ制御部は、前記撮像信号が複数の前記表示装置の中から選択される前記表示装置のダイナミックレンジに対応する明るさとなるように、前記撮像装置における撮像を制御する、前記（１）〜（９）のいずれか一項に記載の医療用制御装置。
（１１）
複数の前記表示装置の中から選択される前記表示装置は、所定のユーザに対応付けられている前記表示装置である、前記（１０）に記載の医療用制御装置。
（１２）
複数の前記表示装置の中から選択される前記表示装置は、複数の前記表示装置の中で前記表示装置のダイナミックレンジが高い前記表示装置である、前記（１０）又は（１１）に記載の医療用制御装置。
（１３）
前記表示制御部は、前記撮像信号に対して前記表示装置が有するガンマ値に基づきガンマ補正を行い、前記ガンマ補正が行われた前記撮像信号から生成される前記医療用撮像画像を前記表示装置に表示させる、前記（１）〜（１２）のいずれか一項に記載の医療用制御装置。
（１４）
前記表示制御部は、前記表示装置と所定のガンマ値を有する表示装置とに表示される前記医療用撮像画像の中間の輝度値が同一となるように、前記撮像信号に対して前記ガンマ補正を行う、前記（１３）に記載の医療用制御装置。
（１５）
複数の前記表示装置が存在する場合、
前記表示制御部は、複数の前記表示装置の各々が有する前記ガンマ値に基づき前記ガンマ補正が行われた前記撮像信号から生成される前記医療用撮像画像を、複数の前記表示装置の各々に表示させる、前記（１３）又は（１４）に記載の医療用制御装置。
（１６）
前記明るさ制御部は、さらに、前記表示装置の表示モードに基づき、前記目標値を決定する、前記（２）に記載の医療用制御装置。
（１７）
前記明るさ制御部は、さらに、前記撮像装置の種類に基づき、前記目標値を決定する、前記（２）又は（１６）に記載の医療用制御装置。
（１８）
前記表示制御部は、前記医療用撮像画像が前記表示装置に表示される際の前記医療用撮像画像の輝度に応じて、前記表示装置に表示される文字の輝度を調整する、前記（１）〜（１７）のいずれか一項に記載の医療用制御装置。
（１９）
光を発光する光源と、
観察対象を撮像する撮像装置と、
前記光を照射された前記観察対象からの反射光を受光する前記撮像装置が生成する撮像信号の明るさを制御し、前記撮像信号から生成される医療用撮像画像を表示装置に表示させる制御部と、
を備え、
前記制御部は、前記表示装置のダイナミックレンジが高い程、前記撮像信号の明るさがより暗くなるように前記撮像信号の明るさを制御する、医療用観察装置。
【符号の説明】
【０１５０】
１、２  医療用観察システム
１０    医療用観察装置
２０    表示装置
１００  撮像部
１１０  制御部
１１２  明るさ制御部
１１４  表示制御部
１２０  通信部
１３０  挿入部材
１３２  光源ユニット
１３４  ライトガイド
１３６  カメラヘッド
１３８  ケーブル
１４０  制御ユニット
【図１】
2020039716.tif 000003
【図２】
2020039716.tif 000004
【図３】
2020039716.tif 000005
【図４】
2020039716.tif 000006
【図５】
2020039716.tif 000007
【図６】
2020039716.tif 000008
【図７】
2020039716.tif 000009
【図８】
2020039716.tif 000010
【図９】
2020039716.tif 000011
【図１０】
2020039716.tif 000012
【図１１】
2020039716.tif 000013
【図１２】
2020039716.tif 000014
【図１３】
2020039716.tif 000015
【図１４】
2020039716.tif 000016
【図１５】
2020039716.tif 000017
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
画像を表示する表示装置に、観察対象からの光を受光する撮像装置が生成する撮像信号から生成される医療用撮像画像を表示させる表示制御部と、
前記表示制御部に所定の明るさの前記医療用撮像画像を表示させるように前記撮像信号の明るさを制御する明るさ制御部と、
を備え、
前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う
医療用制御装置。
【請求項２】
前記明るさ制御部は、前記表示装置のダイナミックレンジを特定し、特定された前記表示装置のダイナミックレンジに対応する前記撮像信号の明るさの目標値を決定する、請求項１に記載の医療用制御装置。
【請求項３】
さらに、前記明るさ制御部は、前記ダイナミックレンジが前記第１の値である第１の表示装置に前記医療用撮像画像を表示する場合は、前記撮像信号の明るさを、前記医療用撮像画像を前記所定の明るさで表示するための第１の明るさにする制御を行い、さらに前記ダイナミックレンジが前記第２の値である第２の表示装置に前記医療用撮像画像を表示する場合は、前記撮像信号の明るさを前記第１の明るさよりも暗い第２の明るさにする制御を行う
請求項１に記載の医療用制御装置。
【請求項４】
前記明るさ制御部は、前記表示装置のダイナミックレンジを示すダイナミックレンジ情報に基づき、前記表示装置のダイナミックレンジを特定する、請求項２に記載の医療用制御装置。
【請求項５】
前記ダイナミックレンジ情報は、前記表示装置から取得される、請求項４に記載の医療用制御装置。
【請求項６】
前記ダイナミックレンジ情報は、前記表示装置から取得される識別情報に基づき取得される、請求項４に記載の医療用制御装置。
【請求項７】
前記明るさ制御部は、前記表示装置のダイナミックレンジと、所定のダイナミックレンジとを比較し、比較の結果に基づき前記目標値を決定する、請求項２、４〜６のいずれか１つに記載の医療用制御装置。
【請求項８】
前記明るさ制御部は、前記表示装置のダイナミックレンジの最大値と、前記所定のダイナミックレンジの最大値との差分に基づき、前記目標値を決定する、請求項７に記載の医療用制御装置。
【請求項９】
前記明るさ制御部は、前記表示装置のダイナミックレンジの最大値が、前記所定のダイナミックレンジの最大値のｎ倍（ｎは実数）である場合、前記表示装置における前記目標値を、前記所定のダイナミックレンジに対応する目標値の１／ｎ倍とする、請求項８に記載の医療用制御装置。
【請求項１０】
複数の前記表示装置が存在する場合、
前記明るさ制御部は、前記撮像信号が複数の前記表示装置の中から選択される前記表示装置のダイナミックレンジに対応する明るさとなるように、前記撮像装置における撮像を制御する、請求項１〜９のいずれか１つに記載の医療用制御装置。
【請求項１１】
複数の前記表示装置の中から選択される前記表示装置は、所定のユーザに対応付けられている前記表示装置である、請求項１０に記載の医療用制御装置。
【請求項１２】
複数の前記表示装置の中から選択される前記表示装置は、複数の前記表示装置の中で前記表示装置のダイナミックレンジが高い前記表示装置である、請求項１０または１１に記載の医療用制御装置。
【請求項１３】
前記表示制御部は、前記撮像信号に対して前記表示装置が有するガンマ値に基づきガンマ補正を行い、前記ガンマ補正が行われた前記撮像信号から生成される前記医療用撮像画像を前記表示装置に表示させる、請求項１〜１２のいずれか１つに記載の医療用制御装置。
【請求項１４】
前記表示制御部は、前記表示装置と所定のガンマ値を有する表示装置とに表示される前記医療用撮像画像の中間の輝度値が同一となるように、前記撮像信号に対して前記ガンマ補正を行う、請求項１３に記載の医療用制御装置。
【請求項１５】
複数の前記表示装置が存在する場合、
前記表示制御部は、複数の前記表示装置の各々が有する前記ガンマ値に基づき前記ガンマ補正が行われた前記撮像信号から生成される前記医療用撮像画像を、複数の前記表示装置の各々に表示させる、請求項１３または１４に記載の医療用制御装置。
【請求項１６】
前記明るさ制御部は、さらに、前記表示装置の表示モードに基づき、前記目標値を決定する、請求項２に記載の医療用制御装置。
【請求項１７】
前記明るさ制御部は、さらに、前記撮像装置の種類に基づき、前記目標値を決定する、請求項２または１６に記載の医療用制御装置。
【請求項１８】
前記表示制御部は、前記医療用撮像画像が前記表示装置に表示される際の前記医療用撮像画像の輝度に応じて、前記表示装置に表示される文字の輝度を調整する、請求項１〜１７のいずれか１つに記載の医療用制御装置。
【請求項１９】
前記明るさ制御部は、前記観察対象に照射される光の光量、または、前記撮像装置に入射する光の光量を制御することで前記撮像信号の明るさを制御する
請求項１〜１８のいずれか１つに記載の医療用制御装置。
【請求項２０】
光を発光する光源と、
観察対象を撮像する撮像装置と、
画像を表示する表示装置に、観察対象からの光を受光する撮像装置が生成する撮像信号から生成される医療用撮像画像を表示させる表示制御部と、
前記表示制御部に所定の明るさの前記医療用撮像画像を表示させるように前記撮像信号の明るさを制御する明るさ制御部と、
を備え、
前記明るさ制御部は、前記表示装置のダイナミックレンジが第１の値よりも大きな第２の値である場合、前記ダイナミックレンジが前記第１の値である場合に前記医療用撮像画像を前記所定の明るさで表示するための前記撮像信号の明るさよりも、前記撮像信号の明るさを暗くする制御を行う
医療用観察装置。
【国際調査報告】
2020039716.tif 000018
2020039716.tif 000019
2020039716.tif 000020
2020039716.tif 000021